(57)【特許請求の範囲】
【請求項１】
記録媒体を挿抜するためのスリット状の開口を有すると共に、その開口に挿入された記録媒体の画像データを読取る読取り駆動装置が備えられた画像データ用のプリント注文受付装置であって、
前記開口の近くに、前記開口へ前記記録媒体を案内するためのガイド部材が設けられ、
前記開口が、複数種類の記録媒体の夫々に対応して複数個形成され、
前記ガイド部材の一部が、前記複数の開口のうちの使用頻度の低い開口に離脱可能な状態で嵌入することで取付姿勢を維持するように構成されている画像データ用のプリント注文受付装置。
【請求項２】
前記開口の端縁により形成される開口面が上向きの傾斜姿勢となるように配置され、前記読取り駆動装置内における前記記録媒体の挿入経路が奥側ほど低くなる状態で傾斜している請求項１記載の画像データ用のプリント注文受付装置。
【請求項３】
前記読取り駆動装置の外形形状が扁平状の略直方体形状に形成され、
前記開口が前記読取り駆動装置の一側面に形成され、
前記読取り駆動装置を、前記開口の形成面が上向きとなるように傾斜姿勢で配置してある請求項２記載の画像データ用のプリント注文受付装置。
【請求項４】
前記ガイド部材は、それの一部が嵌入する開口への記録媒体の進入を阻止するように、前記開口を塞ぐ状態で配置されている請求項１〜３のいずれか１項に記載の画像データ用のプリント注文受付装置。
【請求項５】
前記ガイド部材は、前記記録媒体の片側の端部のみを案内溝にて案内するように構成され、
開口長手方向に沿って並ぶ２つの開口に挿入される夫々の記録媒体のための前記ガイド部材が、前記夫々の記録媒体のための２つの前記案内溝を前記２つの開口の近接する側に配置し、且つ、その２つの案内溝を一体形成して構成されている請求項１〜４のいずれか１項に記載の画像データ用のプリント注文受付装置。
【請求項６】
前記記録媒体は、メモリーカードである請求項１〜５のいずれか１項に記載の画像データ用のプリント注文受付装置。
【発明の詳細な説明】
【０００１】
【発明の属する技術分野】
本発明は、記録媒体を挿抜するためのスリット状の開口を有すると共に、その開口に挿入された記録媒体の画像データを読取る読取り駆動装置が備えられた画像データ用のプリント注文受付装置に関する。
【０００２】
【従来の技術】
かかる画像データ用のプリント注文受付装置は、例えば写真プリント装置等の画像データを使用する機器へ、例えばメモリーカード等の記録媒体に記録された画像を入力するための装置であり、読取り駆動装置の開口に記録媒体を挿入し、その記録媒体に記録された画像データを読取ることで、例えば写真プリントの作製等に利用するものである。
このような記録媒体は薄板状に形成されているので、従来、記録媒体を画像データ用のプリント注文受付装置のスリット状の開口に挿入操作するときは、記録媒体を損傷しないように注意しながら、前記開口をのぞき込むような姿勢で慎重に記録媒体を押し込む作業を行っていた。
【０００３】
【発明が解決しようとする課題】
従って、従来は、画像データ用のプリント注文受付装置に記録媒体に記録されている画像データを読取らせるときに、画像データ用のプリント注文受付装置を使用する者に与える作業負担並びに心理的負担が少なくなかった。
本発明は、かかる実情に鑑みてなされたものであって、その目的は、画像データ用のプリント注文受付装置へ記録媒体をセットするときの作業負担や心理的負担を軽減する点にある。
【０００４】
【課題を解決するための手段】
上記請求項１記載の構成を備えることにより、記録媒体を挿抜するためのスリット状の開口を有すると共に、その開口に挿入された記録媒体の画像データを読取る読取り駆動装置が備えられた画像データ用のプリント注文受付装置において、前記開口の近くに、前記開口へ前記記録媒体を案内するためのガイド部材が設けられ、前記開口が、複数種類の記録媒体の夫々に対応して複数個形成され、前記ガイド部材の一部が、前記複数の開口のうちの使用頻度の低い開口に離脱可能な状態で嵌入することで取付姿勢を維持するように構成されている。
従って、前記プリント注文受付装置を使用する者は、記録媒体をガイド部材に沿って移動させてスリット状の開口に挿入することができ、記録媒体の開口への挿入操作を極めて円滑に行うことができる。
もって、画像データ用のプリント注文受付装置の使用者は簡便に記録媒体を開口に挿入することができ、記録媒体挿入時の作業負担や心理的負担を軽減できるものとなった。
更に、読取り駆動装置が複数種類の記録媒体の読取りに対応しているとき、ユーザー動向等から複数の開口のうち使用頻度が低い開口が予め予測できることから、その使用頻度が低い開口を前記ガイド部材の取付支持のために利用することで、前記プリント注文受付装置にガイド部材を取り付けるための支持構造を設けることが不要となって装置コストを低減できると共に、画像データ用のプリント注文受付装置を何ら改造することなくガイド部材を後付けすることも可能となる。
しかも、ガイド部材を取り付けた開口に対応する記録媒体の画像データを読取る必要が生じたときは、ガイド部材をその開口から取り外すことで記録媒体の読取り操作が可能となる。
【０００６】
又、上記請求項２記載の構成を備えることにより、前記開口の端縁により形成される開口面が上向きの傾斜姿勢となるように配置され、前記読取り駆動装置内における前記記録媒体の挿入経路が奥側ほど低くなる状態で傾斜している。
すなわち、読取り駆動装置内の記録媒体の挿入経路が水平方向であれば、記録媒体を水平姿勢に保持するのは前記プリント注文受付装置の使用者にとって比較的容易な動作であり、十分な慎重さを要するものの使用者に与える負担はそれほど極端には大きくない。
ところが、記録媒体を挿入する開口を、上方から見下ろす使用者から見え易くするために、開口の端縁により形成される仮想的な開口面が上向きの傾斜姿勢となるように配置して実効的に開口のスリット幅を広げたような効果を持たせると、その結果として、読取り駆動装置内における記録媒体の挿入経路が奥側ほど低くなる状態で傾斜することになる。
このような傾斜した挿入経路に記録媒体を挿入するとき、使用者は、前記挿入経路が傾斜していることを知っていても、記録媒体の挿入時に記録媒体をどれくらいの角度で傾斜させれば良いか把握し辛いものであり、ましてや前記挿入経路が傾斜していることを知らないときは、記録媒体を水平姿勢で無理矢理に開口へ押し込むような操作をしてしまう可能性もある。
このような場合に、記録媒体をガイド部材にて前記挿入経路へ適正に案内することで、使用者からスリット状の開口を視認し易いことと相まって、画像データ用のプリント注文受付装置へ記録媒体をセットする操作をより一層簡便に行えるようにできる。
【０００７】
又、上記請求項３記載の構成を備えることにより、前記読取り駆動装置の外形形状が扁平状の略直方体形状に形成され、前記開口が前記読取り駆動装置の一側面に形成され、前記読取り駆動装置を、前記開口の形成面が上向きとなるように傾斜姿勢で配置してある。
すなわち、前記プリント注文受付装置に備える読取り駆動装置は扁平状の略直方体形状に標準化された筐体を有する形で提供される場合が多いが、この形状の読取り駆動装置を傾斜姿勢で配置することで、記録媒体を挿抜するための開口の端縁により形成される仮想的な開口面を上向きの傾斜姿勢とすることができる。
従って、標準化された形態を有して、入手の容易な読取り駆動装置をそのまま利用して装置コストを抑制しながら、画像データ用のプリント注文受付装置へ記録媒体をセットする操作をより一層簡便に行えるようにできる。
【０００９】
又、上記請求項４記載の構成を備えることにより、前記ガイド部材は、それの一部が嵌入する開口への記録媒体の進入を阻止するように、前記開口を塞ぐ状態で配置されている。
すなわち、複数種類の記録媒体の画像データの読取りに対応するため、複数種類の開口を備える場合において、それらの開口間で開口の寸法形状が類似していると、記録媒体を、その記録媒体に対応している開口以外の開口に誤って挿入しようとしてしまう場合がある。挿入しようとした開口の寸法形状が記録媒体よりも小さいときは記録媒体が開口に入らないので特に問題はないが、挿入しようとした開口の寸法形状が大きく、記録媒体が入り込んでしまったときは、その記録媒体の取り出しに苦労することになる。
そこで、記録媒体を誤って挿入し易い開口のグループの中から使用頻度の低い開口を選んで前記ガイド部材の取付支持に利用することで、記録媒体の誤挿入の防止と、装置コストの低減とを図ることができる。
【００１０】
又、上記請求項５記載の構成を備えることにより、前記ガイド部材は、前記記録媒体の片側の端部のみを案内溝にて案内するように構成され、開口長手方向に沿って並ぶ２つの開口に挿入される夫々の記録媒体のための前記ガイド部材が、前記夫々の記録媒体のための２つの前記案内溝を前記２つの開口の近接する側に配置し、且つ、その２つの案内溝を一体形成して構成されている。
すなわち、記録媒体の挿入案内をするガイド部材は、記録媒体の両側を案内して開口へ導く構成も考えられるが、記録媒体の一側を案内溝で支持案内するだけでも記録媒体に適正な挿入姿勢をとらせることができる。
そこで、開口長手方向に沿って並ぶ２つの開口に挿入される夫々の記録媒体を支持案内する２つの前記案内溝を２つの開口の近接する側に配置し、且つ、その２つの案内溝を一体形成してガイド部材を構成する。
これによって、ガイド部材の構成が簡素化されると共に、ガイド部材がコンパクトになり、ガイド部材を取り付けた読取り駆動装置の近接して他の読取り駆動装置を設置する場合でも、ガイド部材が、前記他の読取り駆動装置に記録媒体をセットする操作の妨げとなりにくいようにすることができる。
【００１１】
又、上記請求項６記載の構成を備えることにより、前記記録媒体は、メモリーカードにより構成される。
すなわち、メモリーカードは一般に半導体メモリを薄型のパッケージに封入して作製され、自ずとその取り扱いには神経を使うものである。
そこで、上述のようにガイド部材によってメモリーカードを挿抜し易くすることで、メモリーカード取り扱い時の不安感を軽減させることができる。
【００１２】
【発明の実施の形態】
以下、本発明の画像データ用のプリント注文受付装置を写真プリントシステムに備えた場合の実施の形態を図面に基づいて説明する。
本実施の形態の写真プリントシステムＤＰは、いわゆるデジタルミニラボ機として知られているものであり、図７において店舗に設置した状態の外観を示すように、メモリーカード，光磁気ディスク及びＣＤ−Ｒ等から写真プリントを作製するための画像データを入力する画像データ用のプリント注文受付装置ＩＲ（以下、「プリント注文受付装置ＩＲ」と略称する）と、現像処理済みの写真フィルム１（以下、「フィルム１」と略称する）の画像データを読取り入力するフィルム画像入力装置ＦＳと、プリント注文受付装置ＩＲやフィルム画像入力装置ＦＳから入力した画像データを印画紙２に露光処理する露光・現像装置ＥＰとから構成され、これら各装置の制御部がネットワーク接続されている。
尚、図７では、プリント注文受付装置ＩＲを２台備えて、顧客自身が操作できるようにカウンタ１００上に設置した場合を例示している。又、フィルム画像入力装置ＦＳは、フィルム１の画像データの読取り機能の他に、プリント注文受付装置ＩＲと同様の機能を備えており、メモリーカード等に記録された画像データを、顧客ではなく写真プリントシステムＤＰの操作者の操作によって読取ることができる。
【００１３】
〔プリント注文受付装置ＩＲの概略構成〕
プリント注文受付装置ＩＲは、図５の外観斜視図、図５におけるＡ−Ａ’矢視で内部を示す図６に示すように、ＣＤ−Ｒ及びＣＤ−ＲＯＭに記録された画像データを読取るＣＤ−ＲＯＭドライブ３０と、記録媒体としての光磁気ディスクに記録された画像データを読取るＭＯドライブ３１と、記録媒体としての大，中，小の３種類の形状のメモリーカードに記録された画像データを読取るメモリーカードリーダ３２とが備えられている。
【００１４】
プリント注文受付装置ＩＲには、更に、ＣＤ−ＲＯＭドライブ３０，ＭＯドライブ３１及びメモリーカードリーダ３２から入力された画像データを一時的に記憶する磁気ディスク装置３３と、液晶表示式のモニタ３４と、プリント装置３５と、図示を省略するが、ＣＤ−ＲＯＭドライブ３０等にて読取った画像データをモニタ３４に表示させると共に、その画像データをフィルム画像入力装置ＦＳの主制御装置６へ送る制御装置等が備えられている。尚、プリント装置３５は、ロール状の記録紙３７を保持するホルダ部３５ａと、ホルダ部３５ａから引き出された記録紙３７にプリントするプリンタユニット３５ｂと、プリンタユニット３５ｂを制御する駆動回路ユニット３５ｃとが別体で構成された機器組み込み型の小型プリント装置である。
【００１５】
ＣＤ−ＲＯＭドライブ３０は一般的に５インチベイと称されるコンピュータの取付スペースに適合した筐体寸法で製作されており、ＭＯドライブ３１及びメモリーカードリーダ３２は一般的に３．５インチベイと称されるコンピュータの取付スペースに適合した筐体寸法で製作され、何れも全体的には外形形状が扁平状の略直方体形状となっている。
ＭＯドライブ３１及びメモリーカードリーダ３２は、それらの筐体の一側面（正面）に記録媒体を挿抜するためのスリット状の開口ＩＯが形成され、その開口ＩＯが存在する面を、プリント注文受付装置ＩＲの装置筐体の正面側のパネル３６から露出させている。
メモリーカードリーダ３２は、上述のように大，中，小の３種類のメモリーカードを読取るために、夫々のメモリーカードに対応した寸法形状の開口ＩＯを有している。以下、便宜上、上段の最も大きいサイズの開口ＩＯを大開口ＩＯ１、下段左側の最も小さいサイズの開口ＩＯを小開口ＩＯ３、下段右側の中間のサイズの開口ＩＯを中開口ＩＯ２として区別する。小開口ＩＯ３と中開口ＩＯ２との２つの開口ＩＯは、開口長手方向に沿って並べて配置されている。各開口ＩＯの奥側箇所には、開口ＩＯから挿入されたメモリカードと電気的に接続する端子が備えられており、開口ＩＯから挿入されたメモリカードの画像データを読取る。
又、ＣＤ−ＲＯＭドライブ３０は、トレイ３０ａが備えられた側面（正面）をパネル３６から露出させている。
【００１６】
記録媒体を前記開口ＩＯに対して挿抜する形式の読取り駆動装置ＲＤであるメモリーカードリーダ３２は、図６に示すように、それの筐体が、前記開口ＩＯの形成面が上向きとなる傾斜姿勢で配置してある。前記開口ＩＯの端縁により形成される仮想的な開口面は前記開口ＩＯが存在する筐体の一側面（正面）と一致するので、前記仮想的な開口面は上向きの傾斜姿勢となっている。この仮想的な開口面の傾斜角は、鉛直方向から略１０度傾けてあり、又、パネル３６も鉛直方向から略１０度傾けてあるので、パネル３６の表面と、前記開口ＩＯが存在するＭＯドライブ３１及びメモリーカードリーダ３２の正面とが面一となっている。
一方、ＣＤ−ＲＯＭドライブ３０は、トレイ３０ａの出退方向が略水平となるように、ＣＤ−ＲＯＭドライブ３０の筐体を水平姿勢で配置している。
このように配置することで、ＣＤ−ＲＯＭやＣＤ−Ｒの記録媒体をトレイ３０ａにセットする操作を行い易いものとしている。
【００１７】
上述のように、メモリーカードリーダ３２の筐体を傾斜させて配置することで、筐体の上面等と並行に奥行き方向に延びる記録媒体の挿入経路は、奥側ほど低くなる状態で傾斜する。
前記仮想的な開口面を上向きに傾斜させることで、上方から前記開口ＩＯを見下ろしたときに容易に前記開口ＩＯを視認することができるようになっているものの、もともとスリット状の開口ＩＯのスリット幅が狭いことと、記録媒体の挿入経路が傾斜していることとによって、開口ＩＯへのメモリーカードの挿入操作が若干行い辛いものとなる。
このため、プリント注文受付装置ＩＲには、記録媒体の挿入操作を補助するために開口ＩＯの近くに取り付けられる、図３に示す形状のガイド部材ＩＧが付属品として用意されている。
【００１８】
ガイド部材ＩＧは、メモリーカードリーダ３２の３つの開口ＩＯのうちの使用頻度が最も低いと想定される大開口ＩＯ１に装着して使用され、図３に示すように、中開口ＩＯ２へ挿入されるメモリーカードを案内する第１案内溝４０ａ及び小開口ＩＯ３へ挿入されるメモリーカードを案内する第２案内溝４０ｂの２つの案内溝４０を有している。
この２つの案内溝４０は、何れもメモリーカードの片側の端部のみを支持案内するもので、ガイド部材ＩＧをメモリーカードリーダ３２に取り付けた状態では、中開口ＩＯ２と小開口ＩＯ３とが近接する側に位置する。このように構成することで、ガイド部材ＩＧをコンパクトに構成でき、本実施の形態のようにメモリーカードリーダ３２に近接して他の読取り駆動装置（ＭＯドライブ３１）を配置する場合において、その読取り駆動装置への記録媒体の挿入操作の妨げとなりにくくしてある。
又、案内溝４０を構成する上方側の壁体ＵＷを下方側の壁体ＬＷよりも短く形成することで、メモリーカードを挿入するときのメモリーカードの位置決めを行い易くしてある。
【００１９】
案内溝４０はベース板４１の下部に配置され、そのベース板４１における案内溝４０の取り付け面と反対側の面に、大開口ＩＯ１に嵌入する板状の嵌入部４２が形成されている。更に嵌入部４２の上方には、ガイド部材ＩＧを大開口ＩＯ１にセットしたときの抜け止めをするための左右一対の抜け止め係合部４３が形成されている。抜け止め係合部４３は、図４に平面視による部分断面を示すように、平面視で略Ｕ字状に形成されおり、案内溝４０，ベース板４１，嵌入部４２及び抜け止め係合部４３を樹脂により一体成形して一体的に形成することで、図４における左右方向の力で弾性変形する。
【００２０】
ガイド部材ＩＧをメモリーカードリーダ３２に取り付けるときは、図１に示すように、嵌入部４２側をメモリーカードリーダ３２に向けて、ガイド部材ＩＧの一部である嵌入部４２を大開口ＩＯ１における下部寄りの位置に挿入する。
図２に示すように、ベース板４１における嵌入部４２存在側の面が、メモリーカードリーダ３２の筐体正面に接するまで挿入すると、抜け止め係合部４３の遊端側に形成された突起４３ａ（図４参照）が大開口ＩＯ１の内壁の一部と係合して、ガイド部材が離脱方向に移動するのを阻止し、大開口ＩＯ１に嵌入した嵌入部４２とメモリーカードリーダ３２の筐体に接するベース板４１とで、ガイド部材ＩＧの取り付け姿勢を維持する。
ガイド部材ＩＧをメモリーカードリーダ３２に取り付けた状態では、ベース板４１が大開口ＩＯ１を完全に覆って大開口ＩＯ１を塞ぐ状態となり、大開口ＩＯ１に誤って記録媒体を挿入するのを阻止している。
【００２１】
顧客が、メモリーカードをメモリーカードリーダ３２にセットするときは、図２において中型のメモリーカードＭを中開口ＩＯ２に挿入する場合を例示しているように、メモリーカードの片側の端部を案内溝４０（第１案内溝４０ａ）に沿わせて移動させて挿入する。
一方、ガイド部材ＩＧを大開口ＩＯ１に装着しているときに、大開口ＩＯ１に挿入するメモリーカードの画像データを読取る必要が生じたときは、ガイド部材ＩＧを大開口ＩＯ１から離脱させる。
ガイド部材ＩＧを大開口ＩＯ１から取り外すには、ベース板４１の解除操作孔４１ａ（図４参照）から先の尖った治具等の先端を挿入し、抜け止め係合部４３の遊端部を押し移動させて大開口ＩＯ１との係合を解除し、ガイド部材ＩＧ引き抜く。
このように、ガイド部材ＩＧの取り外し操作に、何らかの治具が必要となるようにしているのは、装着しているガイド部材ＩＧが簡単に持ち去られるのを防止するためである。
【００２２】
〔フィルム画像入力装置ＦＳの概略構成〕
フィルム画像入力装置ＦＳには、図８のブロック図に概略的に示すように、フィルム１の駒画像を読み取るフィルムスキャナ３と、メモリーリーダ，ＭＯドライブ及びＣＤ−Ｒドライブ等を備えた外部入出力装置４と、汎用小型コンピュータシステムにて構成されてフィルムスキャナ３や外部入出力装置４の制御のほか写真プリントシステムＤＰ全体の管理を実行する主制御装置６とが備えられ、更に、主制御装置６には、仕上がりプリント画像をシミュレートしたシミュレート画像や各種の制御用の情報を表示するモニタ６ａと、露光条件の手動設定等や制御情報の入力操作をするための操作卓６ｂとが接続されている。
【００２３】
フィルムスキャナ３は、ハロゲンランプ１０と、ハロゲンランプ１０から出射した光の色バランスを調整するための調光フィルタ１１と、調光フィルタ１１を通過した光を均等に混色するミラートンネル１２と、搬送機構１３ａや図示を省略するフィルムマスク等が備えられてフィルム１を所定の読取り位置に位置させるフィルムマスクユニット１３と、フィルム１の駒画像を光電変換するためのＣＣＤラインセンサユニット１４と、フィルム１の画像をＣＣＤラインセンサユニット１４上に結像させるためのレンズ１５と、光路を９０度屈曲させるためのミラー１６と、ＣＣＤラインセンサユニット１４の出力信号を増幅及びＡ／Ｄ変換等する処理回路１７と、フィルムスキャナ３全体の制御を行う読取制御装置１８とが設けられている。
【００２４】
ＣＣＤラインセンサユニット１４は、約５０００個のＣＣＤ素子をフィルム１の幅方向に配列したＣＣＤラインセンサを３列に並べて備えており、各ＣＣＤラインセンサの受光面には夫々赤色、緑色、青色のカラーフィルタが形成されて、フィルム１の駒画像を色分解して検出する。
読取制御装置１８は、主制御装置６からの読取指令に基づいて、フィルムマスクユニット１３にセットされたフィルム１の搬送移動を開始させると共に、処理回路１７から出力されるそのフィルム１の駒画像の画像データを主制御装置６へ出力する。
主制御装置６には、図示を省略するが、フィルムスキャナ３から入力されたフィルム１の駒画像の画像データ、外部入出力装置４から入力された画像データ、更に、プリント注文受付装置ＩＲから入力された画像データを写真プリントの作製に適した画像に画像処理する画像処理装置が備えられている。
【００２５】
〔露光・現像装置ＥＰの概略構成〕
露光・現像装置ＥＰは、筐体内部に、ＰＬＺＴプリントヘッド２０ａを備えた露光ユニット２０と、露光ユニット２０を制御する露光制御装置２１と、露光ユニット２０にて露光された印画紙２を現像処理する現像処理部２２と、現像処理部２２内の印画紙搬送系の制御や現像処理液の管理を行う現像制御装置２３と、露光・現像装置ＥＰ全体を制御するプリンタ制御装置２４と、筐体上面に配置された印画紙マガジン８から引き出された印画紙２を多数の搬送ローラ２５等にて現像処理部２２へ搬送する印画紙搬送系ＰＴとが設けられている。
【００２６】
露光・現像装置ＥＰの筐体外部には、図７に示すように、現像処理部２２にて現像処理及び乾燥処理された印画紙２をオーダ毎に分類するためのソータ２６と、排出口２２ａから排出された印画紙２をソータ２６へ搬送するコンベア２７とが設けられている。
更に、印画紙搬送系ＰＴの搬送経路の途中には、印画紙マガジン８から引き出された長尺の印画紙２を設定プリントサイズに切断するカッタ２８が備えられている。
【００２７】
〔写真プリントの作製動作〕
次に、上記構成の写真プリントシステムＤＰによる写真プリントの作製動作を概略的に説明する。
顧客がカウンタ１００上のプリント注文受付装置ＩＲを操作して、顧客の持参した画像データが記録されているメモリカード等の記録媒体を、上記ガイド部材ＩＧを適宜使用してセットすると、記録されている画像データの読取りが開始され、磁気ディスク装置３３に記録されると共に、モニタ３４に読取られた画像が表示される。
顧客が、その画像データのモニタ表示を確認してプリントサイズやプリント枚数の入力を完了すると、プリント枚数やオーダーを特定するための情報等がプリント装置３５にて印字されると共に、読取られた画像データは主制御装置６へ送られる。顧客は、プリント装置３５の印字出力を店員に提示し、必要な料金を支払う。
【００２８】
一方、フィルム１の駒画像のプリントを作成するときは、写真プリントシステムＤＰの操作者がフィルム１をフィルムマスクユニット１３にセットして、それの駒画像の読取りを指示入力すると、主制御装置６は、フィルムスキャナ３に対してフィルム１の読み取りを指令し、読取制御装置１８からそのフィルム１の画像データを順次受取る。
更に、操作者の操作によってメモリーカード，光磁気ディスクあるいはＣＤ−Ｒ等の記録媒体に記録された画像データを読取るときは、操作者がフィルム画像入力装置ＦＳの外部入出力装置４にそれらの記録媒体をセットし、主制御装置６に読取りを指示入力すると、主制御装置６は、外部入出力装置４の該当するドライブに画像データの読み取りを指令し、そのドライブから画像データを順次受取る。
【００２９】
主制御装置６は、上記のようにして入力された画像データに基づいて、その画像データによってプリントを作製した場合に得られるであろうシミュレート画像を図示を省略する画像処理回路にて演算して求め、それをモニタ６ａに表示する。
操作者は、このモニタ６ａ上のシミュレート画像を観察して、適正な画像が得られていなければ、操作卓６ｂから露光条件の修正入力操作を行う。
主制御装置６の画像処理回路は、入力された画像データとその修正入力とに従って予め設定された演算条件で赤色、緑色、青色毎の露光用画像データを生成する。
【００３０】
この露光用画像データは、露光・現像装置ＥＰのプリンタ制御装置２４に送られ、プリンタ制御装置２４に備えられているメモリに記憶される。
プリンタ制御装置２４は、印画紙搬送系ＰＴから得られる印画紙２の搬送情報に基づいて、印画紙２の前端が所定の露光開始位置まで搬送されて来たことを検知すると、露光制御装置２１に対して露光作動の開始を指令すると共に、露光ユニット２０の露光処理スピードに対応した速度で露光用画像データを露光制御装置２１へ順次送信する。
露光制御装置２１は、受け取った露光用画像データに基づいてＰＬＺＴプリントヘッド２０ａの各光シャッタを作動させて印画紙２にプリント画像の潜像を形成する。
露光ユニット２０にて露光処理された印画紙２は、印画紙搬送系ＰＴにて現像処理部２２へ搬送されて、各現像処理タンクを順次通過することにより現像され、現像処理された印画紙２は、更に乾燥処理された後に排出口２２ａからコンベア２７上に排出され、ソータ２６にてオーダー毎にまとめられる。
【００３１】
〔別実施形態〕
以下、本発明の別実施形態を列記する。
（１）上記実施の形態では、読取り駆動装置ＲＤにおける開口ＩＯからの記録媒体の挿入経路が、奥側ほど低くなるように傾斜させて場合を例示しているが、記録媒体の挿入経路が水平である場合にも本発明を適用できる。
（２）上記実施の形態では、記録媒体の読取り駆動装置ＲＤであるメモリーカードリーダ３２は、３．５インチベイ装着用の標準的寸法の筐体を有し、その筐体を傾斜姿勢で配置することによって、記録媒体を挿抜する開口ＩＯの端縁にて形成される仮想的な開口面を傾斜させているが、読取り駆動装置ＲＤがそのような標準的な形状をしていない場合にも本発明を適用できる。
【００３２】
（３）上記実施の形態では、記録媒体を読取り駆動装置ＲＤの開口ＩＯへ案内するガイド部材ＩＧを着脱可能に構成しているが、画像データ用のプリント注文受付装置ＩＲに固定設置する構成としても良い。
（５）上記実施の形態では、ガイド部材ＩＧの案内溝４０は、記録媒体の片側の端部のみを支持案内しているが、記録部材の両側を支持案内するように形成しても良い。
【００３３】
（６）上記実施の形態では、画像データ用のプリント注文受付装置ＩＲを写真プリントシステムＤＰの一部として備える場合を例示しているが、画像データを利用する種々のシステムに本発明の画像データ用のプリント注文受付装置ＩＲを利用できる。
【００３４】
（７）上記実施の形態では、記録媒体を挿抜する開口ＩＯの端縁により形成される仮想的な開口面を鉛直方向から１０度傾斜させる場合を例示しているが、読取り駆動装置ＲＤの動作に支障が無ければ更に傾斜させても良いし、逆に、１０度よりも小さい角度に設定しても良い。
（８）上記実施の形態では、ガイド部材ＩＧが画像データ用のプリント注文受付装置ＩＲの付属品として提供される場合を例示しているが、ガイド部材ＩＧを単独で流通させることも可能である。
（９）上記実施の形態では、メモリーカードの挿入を補助するためにガイド部材ＩＧを備える場合を例示しているが、ＭＯドライブ３１の記録媒体挿入用の開口に光磁気ディスクを挿入するときの案内のために備えても良い。
【００３５】
【発明の効果】
上記請求項１記載の構成によれば、ガイド部材を画像データ用のプリント注文受付装置に取り付けて使用することで、画像データ用のプリント注文受付装置を使用する者は、記録媒体をガイド部材に沿って移動させてスリット状の開口に挿入することができるので、記録媒体の開口への挿入操作を極めて円滑に行うことができる。
もって、画像データ用のプリント注文受付装置の使用者は簡便に記録媒体を開口に挿入することができ、記録媒体挿入時の作業負担や心理的負担を軽減できるものとなった。
更に、使用頻度が低い開口を、前記ガイド部材の取付支持のために利用することで、画像データ用のプリント注文受付装置にガイド部材を取り付けるための支持構造を設けることが不要となって装置コストを低減できると共に、画像データ用のプリント注文受付装置を何ら改造することなくガイド部材を後付けすることも可能となる。
しかも、ガイド部材を取り付けた開口に対応する記録媒体の画像データを読取る必要が生じたときは、ガイド部材をその開口から取り外すことで記録媒体の読取り操作が可能となる。
又、上記請求項２記載の構成によれば、スリット状の開口の被視認性向上のために読取り駆動装置内における記録媒体の挿入経路が奥側ほど低くなる状態で傾斜する場合に、記録媒体をガイド部材にて前記挿入経路へ適正に案内することで、使用者からスリット状の開口を視認し易いことと相まって、画像データ用のプリント注文受付装置へ記録媒体をセットする操作をより一層簡便に行えるようにできる。
【００３６】
又、上記請求項３記載の構成によれば、標準化された形態を有して、入手の容易な読取り駆動装置をそのまま利用して装置コストを抑制しながら、画像データ用のプリント注文受付装置へ記録媒体をセットする操作をより一層簡便に行えるようにできる。
【００３７】
又、上記請求項４記載の構成によれば、複数の開口のうちの、記録媒体を誤って挿入し易い開口のグループの中から使用頻度の低い開口を選んで前記ガイド部材の取付支持に利用することで、記録媒体の誤挿入の防止と、装置コストの低減とを図ることができる。
又、上記請求項５記載の構成によれば、２つの案内溝を一体形成してガイド部材の構成が簡素化されると共に、ガイド部材がコンパクトになり、ガイド部材を取り付けた読取り駆動装置の近接して他の読取り駆動装置を設置する場合でも、ガイド部材が、前記他の読取り駆動装置に記録媒体をセットする操作の妨げとなりにくいようにすることができる。
又、上記請求項６記載の構成によれば、取り扱いに神経を使うメモリーカードを読取り駆動装置にセットするときに、上述のようにガイド部材によってメモリーカードを挿入し易くすることで、メモリーカード取り扱い時の不安感を軽減させることができる。
【図面の簡単な説明】
【図１】本発明の実施の形態にかかる画像データ用のプリント注文受付装置の正面パネル拡大図
【図２】本発明の実施の形態にかかる画像データ用のプリント注文受付装置の正面パネル拡大図
【図３】本発明の実施の形態にかかるガイド部材の拡大図
【図４】本発明の実施の形態にかかるガイド部材の要部拡大図
【図５】本発明の実施の形態にかかる画像データ用のプリント注文受付装置の外観斜視図
【図６】本発明の実施の形態にかかる画像データ用のプリント注文受付装置の内部配置図
【図７】本発明の実施の形態にかかる写真プリントシステムの外観斜視図
【図８】本発明の実施の形態にかかる写真プリントシステムのブロック構成図
【符号の説明】
ＩＧ    ガイド部材
ＩＯ    開口
ＲＤ    読取り駆動装置
４０    案内溝
【図１】
0003692532.tif 000002
【図２】
0003692532.tif 000003
【図３】
0003692532.tif 000004
【図４】
0003692532.tif 000005
【図５】
0003692532.tif 000006
【図６】
0003692532.tif 000007
【図７】
0003692532.tif 000008
【図８】
0003692532.tif 000009